(57)【特許請求の範囲】
【請求項１】
任意のカラオケ演奏端末にシステムログインした利用者が所望する楽曲を検索して表示部に一覧表示し、一覧表示された検索結果の中から特定された楽曲を予約登録するための電子目次本機能を有するカラオケシステムであって、
利用者ＩＤ取得手段と、利用者別持ち歌管理手段と、一覧表示制御手段とを備え、
前記利用者ＩＤ取得手段は、任意のカラオケ演奏端末にシステムログインした利用者の利用者ＩＤを取得し、
前記利用者別持ち歌管理手段は、利用者が自らの利用者ＩＤに紐付けして登録した楽曲、及び任意のカラオケ演奏端末において各利用者がシステムログインする毎に、各々ログアウトするまでの間に、自らの利用者ＩＤに紐付けして選曲された楽曲の両方を、当該利用者の持ち歌として管理し、
前記一覧表示制御手段は、電子目次本機能を用いて利用者が選曲を行う際に、当該利用者の利用者ＩＤに基づいて前記利用者別持ち歌管理手段で管理されている楽曲を除外して一覧表示する、
ことを特徴とする電子目次本機能を有するカラオケシステム。
【請求項２】
任意のカラオケ演奏端末にシステムログインした利用者が所望する楽曲を検索して表示部に一覧表示し、一覧表示された検索結果の中から特定された楽曲を予約登録するための電子目次本機能を有するカラオケシステムであって、
利用者ＩＤ取得手段と、利用者別持ち歌管理手段と、一覧表示制御手段とを備え、
前記利用者ＩＤ取得手段は、任意のカラオケ演奏端末にシステムログインした利用者の利用者ＩＤを取得し、
前記利用者別持ち歌管理手段は、利用者が自らの利用者ＩＤに紐付けして登録した楽曲、及び任意のカラオケ演奏端末において各利用者がシステムログインする毎に、各々ログアウトするまでの間に、自らの利用者ＩＤに紐付けして選曲された楽曲の両方を、当該利用者の持ち歌として管理し、
前記一覧表示制御手段は、電子目次本機能を用いて利用者が選曲を行う際に、当該利用者の利用者ＩＤに基づいて前記利用者別持ち歌管理手段で管理されている楽曲と管理されていない楽曲とを識別可能に一覧表示する、
ことを特徴とする電子目次本機能を有するカラオケシステム。
【発明の詳細な説明】
【技術分野】
【０００１】
本発明は、電子目次本機能を有するカラオケシステムに関し、さらに詳しくは、利用者が選曲を行う際に、所定の選定基準に従い、利用者が所望する楽曲を絞り込んで選曲可能に一覧表示するカラオケシステムに関するものである。
【背景技術】
【０００２】
従来、カラオケ利用者が所望の楽曲を選曲する際には、冊子状の目次本を用いて目的の楽曲を探し当て、当該楽曲に付与されている楽曲ＩＤをリモコン装置に入力することにより選曲を行っていたが、近年では、ＧＵＩ機能を備えた電子目次本と称されるリモコン装置を用いて選曲を行うことが一般的となっている。この電子目次本は楽曲の検索機能を備えており、歌手名や楽曲名、リリース年、ジャンル等を入力することにより、液晶表示装置等からなる入出力用表示部に検索結果が一覧表示されるようになっている。そして、利用者は、一覧表示された検索結果の中から所望の楽曲を探し当てて選曲指定を行うことにより、冊子状の目次本と比較して容易に目的の楽曲を探し当てることができるという利便性を有している。
【０００３】
また、近年のカラオケシステムでは、利用者毎に選曲用のフォルダをシステム管理し、任意の利用者の持ち歌リスト（歌唱履歴）に登録された楽曲を選曲可能に表示することができるものがある。このようなカラオケシステムでは、任意の利用者が歌い慣れている楽曲を選択的に表示することにより、選曲の効率化を図ることができるという利便性を有している。
【０００４】
ところで、電子目次本を用いて楽曲の検索を行った場合には、検索キーワードを含む楽曲のすべてが選曲対象として一覧表示される。この際、一覧表示される楽曲数が少なければ、所望の楽曲をいち早く探し当てることができるが、一覧表示される楽曲数が多いと、複数ページにわたって検索結果が表示され、所望の楽曲を探し当てるために時間を要する場合がある。
【０００５】
そこで、所望の楽曲をいち早く探し当てるための技術として、利用者が好むアーティストの新曲が発表された場合に、当該楽曲を利用者ができるだけ早いタイミングで選曲して歌唱できるようにした技術が開示されている（特許文献１参照）。
この特許文献１に記載されている技術は、所定の検索モードにおいてヒットした楽曲の中から、利用者が任意の楽曲を指定した状態で新譜データ抽出操作を行った場合、当該指定楽曲と同じアーティストに属する新譜データがあれば、これを表示させる機能を有している。
【０００６】
【特許文献１】特開２００５−２８３８０６号公報
【発明の開示】
【発明が解決しようとする課題】
【０００７】
ところで、上記特許文献１に記載された技術は、電子目次本を用いて楽曲の検索を行う際に、利用者が好むアーティストの新曲データを容易かつ効果的に知らしめて、いち早く当該楽曲を歌唱できるという優れた効果を奏することができる。
【０００８】
しかしながら、上記特許文献１に記載された技術は、一般的な検索において選曲対象となる楽曲数が多すぎた場合や、頻繁に新曲を発表するアーティストの場合には、所望の楽曲をいち早く探し当てるという点で、さらなる工夫が必要であった。
また、利用者が常に同じ楽曲ばかり歌唱していたのでは、レパートリーが増えず歌唱がマンネリ化してしまう。そこで、自らが歌い慣れていない楽曲にチャレンジして、レパートリーを増やしたいという要望がある。
【０００９】
本発明は、上述した事情に鑑み提案されたもので、利用者が選曲を行う際に、所望の楽曲をいち早く検索することが可能な電子目次本機能を有するカラオケシステムを提供することを目的とする。
【課題を解決するための手段】
【００１０】
本発明の電子目次本機能を有するカラオケシステムは、上述した目的を達成するために提案されたもので、以下の特徴点を有している。
すなわち、本発明の電子目次本機能を有するカラオケシステムは、任意のカラオケ演奏端末にシステムログインした利用者が所望する楽曲を検索して表示部に一覧表示し、一覧表示された検索結果の中から特定された楽曲を予約登録するための電子目次本機能を有するカラオケシステムに関するものである。
【００１１】
この電子目次本機能を有するカラオケシステムは、利用者ＩＤ取得手段と、利用者別持ち歌管理手段と、一覧表示制御手段とを備えている。利用者ＩＤ取得手段は、任意のカラオケ演奏端末にシステムログインした利用者の利用者ＩＤを取得するための手段である。また、利用者別持ち歌管理手段は、利用者が自らの利用者ＩＤに紐付けして登録した楽曲、及び任意のカラオケ演奏端末において各利用者がシステムログインする毎に、各々ログアウトするまでの間に、自らの利用者ＩＤに紐付けして選曲された楽曲の両方を、当該利用者の持ち歌として管理するための手段である。
また、一覧表示制御手段は、電子目次本機能を用いて利用者が選曲を行う際に、当該利用者の利用者ＩＤに基づいて利用者別持ち歌管理手段で管理されている楽曲を除外して一覧表示するための手段である。
【００１２】
また、本発明の電子目次本機能を有するカラオケシステムにおいて、一覧表示制御手段は、電子目次本機能を用いて利用者が選曲を行う際に、当該利用者の利用者ＩＤに基づいて利用者別持ち歌管理手段で管理されている楽曲と管理されていない楽曲とを識別可能に一覧表示するための手段として構成してもよい。
【発明の効果】
【００１３】
本発明の電子目次本機能を有するカラオケシステムでは、電子目次本機能を用いて利用者が選曲を行う際に、当該利用者の利用者ＩＤに基づいて、利用者別持ち歌管理手段で管理されている楽曲を除外して一覧表示したり、利用者別持ち歌管理手段で管理されている楽曲と管理されていない楽曲とを識別可能に一覧表示したりする。すなわち、利用者自らが率先して歌唱対象として登録した楽曲以外の楽曲や、歌唱経験のない楽曲について、容易に選曲できるように一覧表示が行われる。
したがって、選曲を行う利用者に馴染みがない楽曲をいち早く探し当てて、当該楽曲にチャレンジすることにより、レパートリーを増やすことができ、カラオケシステムを用いた歌唱の楽しさを増大させることができる。
【発明を実施するための最良の形態】
【００１４】
以下、図面を参照して本発明の電子目次本機能を備えたカラオケシステムの実施形態を説明する。
本発明の実施形態に係るカラオケシステムは、利用者が所望する楽曲を検索して表示部に一覧表示し、一覧表示された検索結果の中から特定された楽曲を予約登録するための電子目次本機能を備えている。
【００１５】
＜カラオケシステムの概要＞
図１は、本発明の実施形態に係る電子目次本機能を備えたカラオケシステムの概略構成を示すもので、図１（ａ）は通信ネットワークを用いてカラオケシステムを構成した場合の模式図、図１（ｂ）はホスト装置の概略構成を示すブロック図である。
【００１６】
本発明の実施形態に係る電子目次本機能を備えたカラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１７】
＜ホスト装置／送受信部＞
ホスト装置１１は、図１（ｂ）に示すように、送受信部２１、制御手段２２、データ処理手段２３、顧客データベース２４を備えている。
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００１８】
＜データ処理手段／顧客データベース＞
データ処理手段２３は、顧客データベース２４にアクセスして、データの抽出、変更、追加を処理するためのプログラムからなる。顧客データベース２４は、利用者毎に利用者情報が登録されたデータベースである。この顧客データベース２４は、利用者毎に、利用者ＩＤ、氏名、セカンドネーム（例えば愛称）、住所、電話番号、生年月日、性別、職業等が関連付けて構成されている。
【００１９】
＜利用者別持ち歌管理テーブル＞
さらに、この顧客データベース２４には、利用者別持ち歌管理テーブル２５が含まれている。利用者別持ち歌管理テーブル２５は、各利用者自らが歌唱を所望する楽曲（登録楽曲）を当該利用者の利用者ＩＤに紐付けして管理すると共に、任意のカラオケ演奏端末１３において各利用者がシステムログインする毎に、各々ログアウトするまでの間に、当該利用者の利用者ＩＤに紐付けして選曲された楽曲を管理するためのテーブルである。すなわち、利用者別持ち歌管理テーブル２５では、利用者毎に、歌唱経験がある楽曲と、歌唱経験はないが、自らの持ち歌として登録された楽曲が、当該利用者の利用者ＩＤに紐付けされて管理されている。
本実施形態では、制御手段２２、データ処理手段２３、利用者別持ち歌管理テーブル２５が利用者別持ち歌管理手段として機能する。
【００２０】
図２に、利用者別持ち歌管理テーブル２５の構成例を示す。利用者別持ち歌管理テーブル２５は、図２に示すように、利用者毎に、利用者ＩＤ、ニックネーム、顔写真等のイメージデータ、各利用者の持ち歌である楽曲の楽曲ＩＤが紐付けされて構成される。また、利用者別持ち歌管理テーブル２５において、歌唱経験はないが、自らの持ち歌として登録された楽曲には、未歌唱である旨を示すフラグがセットされている。
【００２１】
＜カラオケ演奏端末＞
図３は、本発明の実施形態に係るカラオケ演奏端末の構成を示すブロック図である。
カラオケ演奏端末１３は、図３に示すように、カラオケ本体３１、遠隔入出力端末３２、ミキシングアンプ３５、スピーカ３６、マイクロホン３７、表示手段３８を備えている。カラオケ本体３１と表示手段３８とは、有線方式又は無線方式により接続されている。また、ホスト装置１１からカラオケ演奏端末１３に対して、楽曲データ、更新楽曲データ、顧客データ、利用者別持ち歌データ等が送信される。
【００２２】
＜遠隔入出力端末＞
遠隔入出力端末３２は、ユーザインタフェース機能を備えており、カラオケ本体３１のローカル送受信手段４７に対して有線方式又は無線方式によりデータの送受信を行うようになっており、データの送受信を行うための回路基板及びプログラムと、楽曲検索手段３２ａとして機能させるためのプログラムと、一覧表示制御手段３２ｂとして機能させるためのプログラムと、楽曲索引データベース３２ｃと、利用者別持ち歌リスト３２ｄと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２３】
＜楽曲索引データベース＞
楽曲索引データベース３２ｃは、カラオケ演奏端末１３で演奏に供される楽曲についての属性情報を記述したデータベースであり、楽曲番号・曲名・歌手名・歌い出し部分の歌詞・流行時期・音楽ジャンル区分・デュエット曲か否かなど、種々の属性情報がこれに含まれている。なお、カラオケ演奏端末１３がホスト装置１１と通信を行う際に、適宜なタイミングで楽曲索引データベース３２ｃの内容が最新のものに更新される。
【００２４】
＜利用者別持ち歌リスト＞
利用者別持ち歌リスト３２ｄは、ホスト装置１１の利用者別持ち歌管理テーブル２５に格納されたデータの中から、現に当該カラオケ演奏端末１３にログインしている各利用者の利用者ＩＤに基づいて、当該利用者の持ち歌データ（持ち歌である楽曲ＩＤに関するデータ）を取得することにより作成されるリストである。各利用者の持ち歌データは、各利用者が当該カラオケ演奏端末１３にログインした際に、他の利用者データと共に取得される。なお、各利用者の持ち歌データを取得するタイミングは、後に詳述するチャレンジ選曲が開始した時点であってもよい。
【００２５】
＜電子目次本＞
遠隔入出力端末３２では、楽曲検索手段３２ａにより電子目次本機能が実現される。すなわち、楽曲検索手段３２ａにより実現される電子目次本機能を用いて、利用者が歌手名や楽曲名、リリース年、ジャンル等を入力すると、楽曲索引データベース３２ｃを参照して、入出力用表示部に検索結果が一覧表示されるようになっている。そして、利用者は、一覧表示された検索結果の中から所望の楽曲を探し当てて選曲指定を行うことができる。
【００２６】
＜一覧表示制御手段＞
一覧表示制御手段３２ｂは、電子目次本機能を用いて利用者が選曲を行う際に、当該利用者の利用者ＩＤに基づいて、利用者別持ち歌リスト３２ｄから当該利用者の持ち歌データを取得し、持ち歌である楽曲を除外して一覧表示したり、持ち歌である楽曲と持ち歌ではない楽曲とを識別可能に一覧表示したりするためのプログラムからなる。
この一覧表示制御手段３２ｂは、利用者が歌い慣れていない楽曲をいち早く探し当てて、当該楽曲にチャレンジすることにより、レパートリーを増やそうとするようなチャレンジ選曲を行う場合に機能する手段である。
【００２７】
一覧表示制御手段３２ｂによる一覧表示制御は、図４に示すように、選曲画面で入出力表示画面に表示される「チャレンジ」ボタンを操作した場合に行われる。なお、図４は、選曲画面の一例を示す説明図である。
【００２８】
＜カラオケ本体＞
カラオケ本体３１は、バス４１、ネットワーク送受信手段４２、中央制御手段４３、ＲＯＭ４４、ＲＡＭ４５、ＨＤＤ４６、ローカル送受信手段４７、予約管理手段４８、音楽曲出力手段４９、再生制御手段５０、利用者ＩＤ取得手段３３を備えている。なお、ＨＤＤ４６には、楽曲データベース４６ａ、映像データベース４６ｂが格納されている。
【００２９】
＜中央制御手段＞
中央制御手段４３は、カラオケ演奏端末１３を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００３０】
＜ＲＯＭ／ＲＡＭ＞
ＲＯＭ４４は、カラオケ演奏端末１３を構成する各機器を制御するためのアプリケーションプログラムデータや数値データを記憶するための機器で、例えば半導体メモリ等で構成される。また、ＲＡＭ４５は、アプリケーションプログラムや種々のデータを一時的に読み込む一時記憶領域として機能するための機器で、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａが格納されている。
【００３１】
＜ＨＤＤ／楽曲データベース／映像データベース＞
楽曲データベース４６ａ及び映像データベース４６ｂは、大容量記憶装置であるＨＤＤ４６に格納されている。大容量記憶装置としては、ＨＤＤ４６の他に、データを書き替え可能なＤＶＤ等を用いることができる。
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース４６ｂは、演奏される楽曲に対応した背景映像を、当該楽曲の楽曲ＩＤに対応させた映像ファイルとして所定数格納したデータベースである。
【００３２】
＜音楽曲出力手段＞
音楽曲出力手段４９は、楽曲ＩＤに基づいて楽曲データベース４６ａから抽出された演奏データをデジタル再生すると共にアナログ変換してミキシングアンプ３５に出力するための電子回路である。ミキシングアンプ３５は、マイクロホン３７から入力された歌唱者の歌唱音声と、音楽曲出力手段４９から送出される演奏データとをミキシングすると共に、アンプ機能により増幅してスピーカ３６より出力させるための装置である。なお、マイクロホン３７の数は１本に限られず、２本以上であってもよい。
【００３３】
＜再生制御手段＞
再生制御手段５０は、カラオケ演奏中に、楽曲データベース４６ａから抽出された楽曲データのうちの歌詞テロップデータ（歌詞文字データ）を当該楽曲の演奏データに同期させて表示手段３８に出力するための電子回路である。さらに、再生制御手段５０は、遠隔入出力端末３２を介した利用者からの操作指示による予約楽曲リストの表示等を表示手段３８に表示させる機能も有している。
【００３４】
＜表示手段＞
表示手段３８は、カラオケ演奏時の映像、歌詞テロップ等を表示するための装置で、例えば、ＣＲＴディスプレイ、液晶ディスプレイ、プラズマディスプレイ等により構成される。
【００３５】
＜予約管理手段＞
予約管理手段４８は、利用者により遠隔入出力端末３２における楽曲検索手段３２ａの機能を用いて選曲され、ローカル送受信手段４７を介して送信された当該選曲者の利用者ＩＤ、及び選曲された楽曲ＩＤを対応付けて予約待ち行列４５ａとしてＲＡＭ４５に格納し、管理するためのプログラムである。なお、楽曲選択の表示や予約待ち行列４５ａの表示は、遠隔入出力端末３２の入出力用表示部及び表示手段３８のいずれか一方、あるいは双方で行うことができる。
【００３６】
＜送受信手段＞
ローカル送受信手段４７は、遠隔入出力端末３２との間でデータの送受信を行うための電子回路及びプログラムからなる。ネットワーク送受信手段４２は、通信ネットワーク１２を介してホスト装置１１との間でデータの送受信を行う際に、通信ネットワーク１２における通信方式の整合性を保つための電子回路及びプログラムからなる。
【００３７】
＜利用者ＩＤ取得手段＞
利用者ＩＤ取得手段３３は、利用者がカラオケ演奏端末１３にシステムログインする際に、利用者が所持するＩＤ媒体３４から利用者ＩＤを取得するための電子回路及びプログラムからなる。利用者ＩＤ取得手段３３で取得した利用者ＩＤは、ＲＡＭ４５に一時的に記憶される。ＩＤ媒体３４は、例えば、非接触型のＩＣカード、携帯電話、携帯情報端末等からなり、利用者ＩＤを記憶して、利用者ＩＤ取得手段３３との間でデータの送受信を行うことができるようになっている。
【００３８】
＜一覧表示制御＞
次に、本実施形態のカラオケシステムにおける一覧表示制御について説明する。図５は、一覧表示制御の手順を示すフローチャートである。
本実施形態に係る一覧表示制御では、遠隔入出力端末３２の入出力用表示部に、選曲者である利用者の持ち歌を除外して一覧表示したり、持ち歌である楽曲と持ち歌ではない楽曲とを識別可能に一覧表示したりする（以下、チャレンジ選曲という）。すなわち、チャレンジ選曲とは、選曲を行う利用者に馴染みの薄い楽曲にチャレンジ可能な選曲態様である。
【００３９】
本実施形態のカラオケシステムでは、図５に示すように、一覧表示制御に先立って、利用者ＩＤ取得手段３３により、当該カラオケ演奏端末１３にシステムログインした利用者の利用者ＩＤを取得する（Ｓ１）。そして、ホスト装置１１にアクセスし、取得した利用者ＩＤに基づいて、持ち歌データを含んだ利用者情報を取得する（Ｓ２）。取得した各利用者の持ち歌データは、利用者別持ち歌リスト３２ｄとして遠隔入出力端末３２に格納される。
【００４０】
選曲を行う利用者が入出力用表示部に表示されるチャレンジボタン（図４参照）を操作して、利用者ＩＤに関連付けてチャレンジ選曲が開始されると（Ｓ３）、入力された条件に基づいて楽曲を検索し（Ｓ４）、検索された楽曲のデータと持ち歌データとを比較する（Ｓ５）。具体的には、検索された楽曲の楽曲ＩＤと、持ち歌データに含まれる楽曲ＩＤとを比較する。
続いて、検索された楽曲が持ち歌か否かを判断する（Ｓ６）。ここで、検索された楽曲が持ち歌でなければ、当該楽曲を表示対象とし（Ｓ７）、検索された楽曲が持ち歌であれば、当該楽曲を表示対象から除外する（Ｓ８）。なお、検索された楽曲が持ち歌であった場合に、ステップＳ８において、当該楽曲を希薄表示の対象としてもよい。
【００４１】
そして、検索されたすべての楽曲について持ち歌の判断が行われたか否かを判断し（Ｓ９）、持ち歌の判断が終了していない楽曲がある場合には、判断処理（Ｓ５〜Ｓ８）を繰り返す。一方、検索されたすべての楽曲について持ち歌の判断が行われると、表示対象とされた楽曲を入出力用表示部に一覧表示する（Ｓ１０）。この場合、ステップＳ１０において、持ち歌を除外して表示するのではなく、持ち歌を他の楽曲と比較して希薄に表示することにより、持ち歌である楽曲と、持ち歌以外の楽曲とを判別可能としてもよい。すなわち、通常に表示された楽曲と希薄に表示された楽曲とを比較すると、利用者は通常に表示された楽曲に対して容易に注目して両者を区別することができる。なお、チャレンジ選曲でない場合には、このような一覧表示制御は行わない。
【００４２】
図６及び図７を参照して、一覧表示制御の具体例を説明する。図６は楽曲索引データベースの説明図、図７は一覧表示の判断手順を示す説明図である。
利用者が遠隔入出力端末３２の電子目次本機能を用いて選曲動作を行うと、楽曲索引データベース３２ｃが参照され、検索結果として該当する楽曲が抽出される。例えば、歌手名をキーワードとして検索を行う場合には、図６に示す楽曲索引データベース３２ｃを参照し、該当する歌手名コードに対応する楽曲ＩＤを抽出する。
【００４３】
そして、図７に示すように、一覧表示制御手段３２ｂ（図３）の機能により、利用者別持ち歌リスト３２ｄ（図３）を参照して、選曲を行っている利用者の利用者ＩＤに紐付けされた楽曲の楽曲ＩＤを持ち歌データとして取得する。次に、楽曲索引データベース３２ｃから抽出された楽曲の中から、持ち歌データの楽曲を除外して、残余の楽曲を表示対象とする。あるいは、楽曲索引データベース３２ｃから抽出された楽曲の中から、持ち歌データの楽曲を抽出して、希薄表示の対象とする。
【００４４】
図７に示す例では、歌手名コード「Ａ０００１」の歌手について楽曲索引データベース３２ｃ（図６）を参照すると、楽曲ＩＤ「＊＊＊７」、「＊＊＊８」、「＊＊１０」、「＊＊２６」、「＊＊４２」、「＊１２５」、「＊２１３」、「＊３０７」等が検索結果として抽出される。また、利用者ＩＤ「＊＊＊＊＊＊＊Ａ」の利用者別持ち歌リスト３２ｄ（図３）を参照すると、楽曲ＩＤ「＊＊＊２」、「＊＊＊４」、「＊＊＊６」、「＊＊＊７」、「＊＊＊８」、「＊＊＊９」、「＊＊１０」の楽曲が持ち歌として抽出される。
【００４５】
ここで、利用者ＩＤ「＊＊＊＊＊＊＊Ａ」の利用者は、歌手名コード「Ａ０００１」の楽曲のうち、楽曲ＩＤ「＊＊＊７」、「＊＊＊８」、「＊＊１０」の楽曲が持ち歌となっている。なお、楽曲ＩＤ「＊＊＊７」については、歌唱経験はないが、自らの持ち歌として登録された楽曲である。
そこで、上段に示す例では、楽曲ＩＤ「＊＊＊７」、「＊＊＊８」、「＊＊１０」の楽曲が一覧表示の対象から除外されて、楽曲ＩＤ「＊＊２６」、「＊＊４２」、「＊１２５」、「＊２１３」、「＊３０７」等の楽曲が一覧表示される。
また、下段に示す例では、楽曲ＩＤ「＊＊＊７」、「＊＊＊８」、「＊＊１０」の楽曲について希薄表示され、楽曲ＩＤ「＊＊２６」、「＊＊４２」、「＊１２５」、「＊２１３」、「＊３０７」等の楽曲が通常の濃度で一覧表示される。
【００４６】
＜他の実施形態＞
本発明の電子目次本機能を備えたカラオケシステム及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４７】
さらに、顧客データベース２４、利用者別持ち歌管理テーブル２５をホスト装置１１の構成要素とするのではなく、カラオケ演奏端末１３の構成要素として、ローカルで顧客情報の管理及び楽曲別歌唱度数の管理を行ってもよい。
【図面の簡単な説明】
【００４８】
【図１】本発明の実施形態に係る電子目次本機能を備えたカラオケシステムの概略構成を示すブロック図。
【図２】利用者別持ち歌管理テーブルの構成例を示す説明図。
【図３】カラオケ演奏端末の構成を示すブロック図。
【図４】選曲画面の一例を示す説明図。
【図５】一覧表示制御の手順を示すフローチャート。
【図６】楽曲索引データベースの説明図。
【図７】一覧表示の判断手順を示す説明図。
【符号の説明】
【００４９】
１１  ホスト装置
１２  通信ネットワーク
１３  カラオケ演奏端末
２１  送受信部
２２  制御手段
２３  データ処理手段
２４  顧客データベース
２５  利用者別持ち歌管理テーブル
３１  カラオケ本体
３２  遠隔入出力端末
３２ａ  楽曲検索手段
３２ｂ  一覧表示制御手段
３２ｃ  楽曲索引データベース
３２ｄ  利用者別持ち歌リスト
３３  利用者ＩＤ取得手段
３４  ＩＤ媒体
３５  ミキシングアンプ
３６  スピーカ
３７  マイクロホン
３８  表示手段
４１  バス
４２  ネットワーク送受信手段
４３  中央制御手段
４４  ＲＯＭ
４５  ＲＡＭ
４５ａ  予約待ち行列
４６  ＨＤＤ
４６ａ  楽曲データベース
４６ｂ  映像データベース
４７  ローカル送受信手段
４８  予約管理手段
４９  音楽曲出力手段
５０  再生制御手段
【図１】
0005154248.tif 000002
【図２】
0005154248.tif 000003
【図３】
0005154248.tif 000004
【図４】
0005154248.tif 000005
【図５】
0005154248.tif 000006
【図６】
0005154248.tif 000007
【図７】
0005154248.tif 000008